(57)【要約】【課題】塗布用液体を塗布する塗布部をより簡単に取り付け及び取り外し可能にする。【解決手段】塗布容器１は、塗布用液体が封入される容器本体１０と、容器本体１０の端部に設けられ塗布用液体が含浸されて塗布用液体を塗布可能な塗布部２０と、塗布部２０に着脱可能とされ装着されたときに塗布部２０を容器本体１０側に押さえつけて容器本体１０から塗布部２０が抜脱するのを防止する固定用リング３０と、容器本体１０に着脱可能とされ装着されたときに固定用リング３０を塗布部２０に押さえつけるホルダ部４０とを有する。【選択図】図１
2020011750.tif 000002
【特許請求の範囲】
【請求項１】
塗布用液体が封入される容器本体と、
前記容器本体の端部に設けられ前記塗布用液体が含浸されて前記塗布用液体を塗布可能な塗布手段と、
前記塗布手段に着脱可能とされ装着されたときに前記塗布手段を前記容器本体側に押さえつけて前記容器本体から前記塗布手段が抜脱するのを防止する抜脱防止手段と、
前記容器本体に着脱可能とされ装着されたときに前記抜脱防止手段を前記塗布手段に押さえつける押さえ手段と、
を有する塗布容器。
【請求項２】
前記塗布手段は、当該塗布手段の外周面から突出して前記容器本体に対向する位置に配置される突部を有し、
前記抜脱防止手段は、前記突部に係止して前記塗布手段を押さえつける請求項１に記載の塗布容器。
【請求項３】
前記塗布手段は、当該塗布手段の外周面から突出して前記容器本体に対向する位置に配置される突部を有し、
前記抜脱防止手段は、複数の歯を前記容器本体に向かって前記突部に押し当てて前記突部に係止し前記塗布手段を押さえつける請求項１又は２に記載の塗布容器。
【請求項４】
前記塗布手段は、円盤形状をなして軸方向の端面が塗布用液体を塗布する塗布面となり、径方向の外周面から突出して前記容器本体からみて対向する位置に配置される突部を有し、
前記抜脱防止手段は、複数の歯を前記容器本体に向かって前記突部に押し当てて前記突部に係止し前記塗布手段を押さえつけ、
前記押さえ手段は、前記塗布手段を径方向側から覆う形状を有する請求項１乃至３の何れか１項に記載の塗布容器。
【発明の詳細な説明】
【技術分野】
【０００１】
本発明は、容器に封入した液体を塗布する技術に関する。
【背景技術】
【０００２】
容器の端部に液体を塗布する塗布部し、容器に封入した液体を塗布部によって塗布する技術が開示されている（例えば、特許文献１）。
【先行技術文献】
【特許文献】
【０００３】
【特許文献１】特開２０１７−４７９２４
【発明の概要】
【発明が解決しようとする課題】
【０００４】
本発明の目的は、塗布用液体を塗布する塗布部をより簡単に取り付け及び取り外し可能にすることである。
【課題を解決するための手段】
【０００５】
前記課題を解決するために、本発明の第１の態様は、塗布用液体が封入される容器本体と、前記容器本体の端部に設けられ前記塗布用液体が含浸されて前記塗布用液体を塗布可能な塗布手段と、前記塗布手段に着脱可能とされ装着されたときに前記塗布手段を前記容器本体側に押さえつけて前記容器本体から前記塗布手段が抜脱するのを防止する抜脱防止手段と、前記容器本体に着脱可能とされ装着されたときに前記抜脱防止手段を前記塗布手段に押さえつける押さえ手段と、を有する塗布容器である。
【０００６】
本発明の第２の態様では、前記塗布手段は、当該塗布手段の外周面から突出して前記容器本体に対向する位置に配置される突部を有し、前記抜脱防止手段は、前記突部に係止して前記塗布手段を押さえつけることが好ましい。
【０００７】
本発明の第３の態様では、前記塗布手段は、当該塗布手段の外周面から突出して前記容器本体に対向する位置に配置される突部を有し、前記抜脱防止手段は、複数の歯を前記容器本体に向かって前記突部に押し当てて前記突部に係止し前記塗布手段を押さえつけることが好ましい。
【０００８】
本発明の第４の態様では、前記塗布手段は、円盤形状をなして軸方向の端面が塗布用液体を塗布する塗布面となり、径方向の外周面から突出して前記容器本体からみて対向する位置に配置される突部を有し、前記抜脱防止手段は、複数の歯を前記容器本体に向かって前記突部に押し当てて前記突部に係止し前記塗布手段を押さえつけ、前記押さえ手段は、前記塗布手段を径方向側から覆う形状を有することが好ましい。
【発明の効果】
【０００９】
本発明の前記第１の態様によれば、塗布容器は、押さえ手段を容器本体に着脱するだけで、抜脱防止手段も着脱することができ、塗布手段をより簡単に取り付け及び取り外し可能にできる。
【００１０】
本発明の前記第２の態様によれば、塗布容器は、より簡易な構造によって抜脱防止手段が塗布手段を押さえつけることができる。
【００１１】
本発明の前記第３の態様によれば、塗布容器は、より簡易な構造によって抜脱防止手段が塗布手段の抜脱をより強く防止しつつ押さえつけることができる。
【００１２】
本発明の前記第４の態様によれば、塗布容器は、押さえ手段が塗布手段を径方向側から覆うカバーの機能を併有する。
【図面の簡単な説明】
【００１３】
【図１】図１は、塗布容器の一例を示す断面図である。
【図２】図２は、容器本体の特に先端部の構成例を示す斜視図である。
【図３】図３は、容器本体の構成例を示す断面図である。
【図４】図４は、塗布部の構成例を示す斜視図である。
【図５】図５は、塗布部の構成例を示す断面図である。
【図６】図６は、固定用リングの構成例を示す斜視図である。
【図７】図７は、固定用リングの構成例を示す断面図である。
【図８】図８は、ホルダ部の構成例を示す斜視図である。
【図９】図９は、ホルダ部の構成例を示す断面図である。
【図１０】図１０は、キャップの構成例を示す斜視図である。
【図１１】図１１は、キャップの構成例を示す断面図である。
【発明を実施するための形態】
【００１４】
本発明の実施形態を図面を参照しつつ説明する。
本実施形態では、塗布容器を挙げている。
【００１５】
（構成）
図１は、塗布容器１の一例を示す断面図である。
図１に示すように、塗布容器１は、容器本体１０、塗布部２０、固定用リング３０、ホルダ部４０、及びキャップ５０を有している。
【００１６】
図２及び図３は、容器本体１０の構成例を示す図である。図２は、容器本体１０の特に先端部の斜視図である。図３は、容器本体１０の断面図である。
図２及び図３に示すように、容器本体１０は、容器胴部１１及び口部１２を有している。容器胴部１１は、有底の円筒形状をなしている。容器胴部１１内には、塗布用液体が封入されている。塗布用液体は、例えば、化粧用液体、脱毛用液体等である。塗布用液体は、これら液体に限定されないことは言うまでもない。容器胴部１１の開口側には、内側に延びる肩部１１ａが形成されており、その肩部１１ａに口部１２が一体に形成されている。
【００１７】
口部１２は、基部１３及び注出部１５を有している。基部１３は、円盤形状の天板部１３ａの外周縁から下向に延びた周壁１３ｂが形成されており、その周壁１３ｂが略円環形状をなして容器胴部１１の肩部１１ａに一体に形成されている。
【００１８】
周壁１３ｂの外周面には、キャップ５０のネジ溝（雌ネジ）４２と螺合するネジ溝（雌ネジ）１４が形成されている。また、基部１３の天板部１３ａには、略中心に注出部１５が形成されている。注出部１５は、上方に延びた細長い円筒形状をなし、内部が基部１３、すなわち、容器胴部１１に連通している。例えば、容器本体１０は、プラスチック等の樹脂材料によって形成されている。
【００１９】
図４及び図５は、塗布部２０の構成例を示す図である。図４は、塗布部２０の斜視図である。図５は、塗布部２０の断面図である。
図４及び図５に示すように、塗布部２０は、塗布本体部２１及びつば部２２を有している。塗布本体部２１は、肉厚の円盤形状又は円柱形状をなしている。塗布本体部２１の軸方向の上端面２１ａは、その外周縁部２１ｂが、角が除去されＲ面取り加工されている。ここで、塗布本体部２１の上端面２１ａは塗布面となる。
【００２０】
塗布本体部２１には、中央に、上端面２１ａから下端面２１ｃに貫通する円筒形状の挿通孔２３が形成されている。また、塗布本体部２１には、外周面２１ｄの下端に円環形状のつば部２２が一体に形成されている。つば部２２は、塗布本体部２１の外周面２１ｄから径方向に僅かに突出して形成されている。つば部２２の外径は、容器本体１０の容器胴部１１の天板部１３ａの外径とほぼ同じである。
【００２１】
塗布部２０は、容器本体１０に対して着脱自在に取り付けられている。塗布部２０は、例えば、液体を皮膚に塗布するに適した材質のものであり、例えば、スポンジである。
図１に示すように、塗布部２０が容器本体１０に装着されている状態では、口部１２の注出部１５が挿通孔２３内に挿通されている。このとき、口部１２の注出部１５の先端部１５ａが、挿通孔２３の略中間部に位置されている。また、塗布部２０のつば部２２が、基部１３又は容器本体１０に対向する位置に配置されている。
【００２２】
図６及び図７は、固定用リング３０の構成例を示す図である。図６は、固定用リング３０の斜視図である。図７は、固定用リング３０の断面図である。
図６及び図７に示すように、固定用リング３０は、薄い略円環形状をなしている。固定用リング３０には、周壁３１の外周面３１ａの下端に径方向に突出した係止用突部３２が一体に形成されている。そして、固定用リング３０には、周壁３１の下端の全周にわたり当該下端から下方に突出する、略鋸の歯形状をなし無数の尖った小さい歯からなる歯部３３が形成されている。
【００２３】
ここで、固定用リング３０の内径は、塗布部２０の塗布本体部２１の外径とほぼ同じかやや大きい径である。例えば、固定用リング３０は、プラスチック等の樹脂材料によって形成されている。
図１に示すように、固定用リング３０は、塗布本体部２１が挿通されて当該塗布本体部２１の外周でかつつば部２２上に配置されている。そして、固定用リング３０は、塗布部２０に対して着脱自在に取り付けられている。
【００２４】
図８及び図９は、ホルダ部４０の構成例を示す図である。図８は、ホルダ部４０の斜視図である。図９は、ホルダ部４０の断面図である。
図８及び図９に示すように、ホルダ部４０は、高さのある略円環形状をなしている。ホルダ部４０の内周面４１ａの下端部には、容器本体１０のネジ溝（雄ネジ）１４と螺合するネジ溝（雌ネジ）４２が形成されている。また、ホルダ部４０の外周面４１ｂの下端部には、径方向に突出しキャップ５０のキャップ側係合部５３と係合（嵌合）するホルダ側係合部４３が形成されている。
【００２５】
ホルダ部４０の上端部４１ｃは、内側に傾いており、その内周面４１ｄに、内側に突出し固定用リング３０の係止用突部３２に係止するホルダ側係止部４４が形成されている。ホルダ側係止部４４は、内周面４１ｄの全周にわたり形成されており、断面が略三角形状をなしている。
【００２６】
ここで、ホルダ部４０の上端部４１ｃの先端の内径（開口径）は、固定用リング３０の内径と同様に、塗布部２０の塗布本体部２１の外径とほぼ同じかやや大きい径である。また、ホルダ部４０の内周面４１ａの内径は、固定用リング３０の係止用突部３２の外径とほぼ同じかやや大きい径である。例えば、ホルダ部４０は、プラスチック等の樹脂材料によって形成されている。
【００２７】
図１に示すように、ホルダ部４０は、塗布本体部２１が挿通され、ネジ溝（雌ネジ）４２が容器本体１０のネジ溝（雄ネジ）１４と螺合し容器本体１０に取り付けられている。このとき、塗布本体部２１の上端部２１ｅは、ホルダ部４０の上端から突出した状態になる。また、このとき、ホルダ部４０のホルダ側係止部４４が固定用リング３０の係止用突部３２に係止して、固定用リング３０の歯部３３が容器本体１０に向かって塗布部２０のつば部２２に押しつけられるようになる。これによって、塗布部２０は、容器胴部１１側に押しつけられる。
【００２８】
図１０及び図１１は、キャップ５０の構成例を示す図である。図１０は、キャップ５０の斜視図である。図１１は、キャップ５０の断面図である。
図１０及び図１１に示すように、キャップ５０は、天壁部５１及び周壁部５２を有して略有頂筒形状をなしている。周壁部５２の内周面５２ａの下端部には、ホルダ部４０のホルダ側係合部４３と係合するへこんだ形状のキャップ側係合部５３が形成されている。天壁部５１は、下面５１ａ側にシール部５４を有している。シール部５４は、下方に延びた細長い円筒形状をなしている。シール部５４は、上端部５４ａが天壁部５１と一体とされ閉塞されている。例えば、キャップ５０は、プラスチック等の樹脂材料によって形成されている。
【００２９】
図１に示すように、キャップ５０は、天壁部５１によって塗布部２０を上方から覆っており、周壁部５２によって塗布部２０及びホルダ部４０を径方向の外側から覆っている。このとき、キャップ側係合部５３がホルダ部４０のホルダ側係合部４３と係合するため、キャップ５０は、ホルダ部４０に取り付けられた状態でホルダ部４０から不用意に外れてしまうのを防止される。また、キャップ５０がホルダ部４０に取り付けられた状態では、シール部５４は、塗布部２０の挿通孔２３に上側から挿通され、その先端部５４ｂが容器本体１０の注出部１５の先端部１５ａとその内側面で嵌合する。これによって、キャップ５０がホルダ部４０に取り付けられた状態で、容器本体１０内に封入されている塗布用液体が注出部１５から漏れだしてしまうのを確実に防止できる。
【００３０】
（作用等）
次に、塗布容器１における作用等の一例について説明する。
図１に示すように、使用していないときには、塗布容器１は、キャップ５０によって塗布部２０が覆われており、かつキャップ５０のシール部５４の先端部５４ｂが容器本体１０の注出部１５の先端部１５ａと嵌合している。使用する際には、キャップ５０が外されて、使用者の指で容器本体１０が圧縮されたり、使用者によって塗布容器１が逆さまにされたりすることで、容器胴部１１内の塗布用液体が注出部１５の先端から溢れ出て塗布部２０に含浸される。含浸後、塗布部２０の上端面２１ａを皮膚に当てて皮膚上の移動させることで、塗布部２０に含浸された塗布用液体が皮膚に塗布される。
【００３１】
ここで、ホルダ部４０のホルダ側係止部４４が固定用リング３０の係止用突部３２に係止することで固定用リング３０が容器本体１０側に押されて、固定用リング３０の歯部３３が塗布部２０のつば部２２に押しつけられている。これにより、塗布部２０が容器本体１０側に押しつけられているため、塗布の最中、塗布部２０が容器本体１０から外れてしまうようなことを防止できる。さらに、固定用リング３０の歯部３３が塗布部２０のつば部２２に押しつけられ、場合によっては、固定用リング３０の歯部３３が塗布部２０のつば部２２に刺さっていることで、塗布の最中、固定用リング３０の歯部３３が塗布部２０のつば部２２に引っかかるため、塗布部２０が容器本体１０から外れてしまうようなことをより強く防止できる。
【００３２】
一方、ホルダ部４０を容器本体１０から取り外すことで一緒に固定用リング３０も容器本体１０から取り外すことができるので、簡易に容器本体１０から塗布部２０を取り外し、塗布部２０を洗浄したり交換したりすることができる。
【００３３】
このとき、ホルダ部４０が、ネジ溝（雌ネジ）４２が容器本体１０のネジ溝（雄ネジ）１４と螺合して当該容器本体１０に取り付けられているため、交換の際には、ホルダ部４０は回転させられて容器本体１０から取り外される。このとき、ホルダ部４０のホルダ側係止部４４では、その下面が固定用リング３０の係止用突部３２の上面に対して摺動するため、固定用リング３０は、ホルダ部４０の回転にひきづられることなく回転せず塗布部２０のつば部２２上に留まる。その後、固定用リング３０は、塗布部２０と一緒に容器本体１０から取り外される。
【００３４】
（本実施形態における効果）
（１）塗布容器１は、ホルダ部４０を容器本体１０に着脱するだけで、固定用リング３０も着脱することができ、塗布部２０をより簡単に取り付け及び取り外し可能にできる。
（２）塗布容器１は、塗布部２０の外周面２１ｄから突出して容器本体１０に対向する位置に配置されるつば部２２を設けるといった構成のため、より簡易な構造によって固定用リング３０が塗布部２０を押さえつけることができる。
【００３５】
（３）塗布容器１は、複数の歯をつば部２２に押し当ててつば部２２に係止させ塗布部２０を押さえつけるといった構成のため、より簡易な構造によって固定用リング３０が塗布部２０の抜脱をより強く防止しつつ押さえつけることができる。
（４）塗布容器１は、ホルダ部４０が塗布部２０を径方向側から覆うカバーの機能を併有する。
【００３６】
なお、前記の実施形態の説明において、塗布部２０は、例えば、容器本体の端部に設けられ塗布用液体が含浸されて塗布用液体を塗布可能な塗布手段を構成する。また、固定用リング３０は、例えば、塗布手段に着脱可能とされ装着されたときに塗布手段を容器本体側に押さえつけて容器本体から塗布手段が抜脱するのを防止する抜脱防止手段を構成する。また、ホルダ部４０は、例えば、容器本体に着脱可能とされ装着されたときに抜脱防止手段を塗布手段に押さえつける押さえ手段を構成する。また、つば部２２は、例えば、突部を構成する。
【００３７】
（本実施形態の変形例等）
前記の実施形態の他の例として、塗布容器１を構成する各部の形状、材質は、前記の例に限定されないことは言うまでもない。
また、本発明の実施形態を開示したが、当業者によっては本発明の範囲を逸脱することなく変更が加えられうることは明白である。すべてのこのような修正及び等価物が次の請求項に含まれることが意図されている。
【符号の説明】
【００３８】
１  塗布容器、１０  容器本体、２０  塗布部、２２  つば部、３０  固定用リング、３３  歯部、４０  ホルダ部、５０  キャップ
【図１】
2020011750.tif 000003
【図２】
2020011750.tif 000004
【図３】
2020011750.tif 000005
【図４】
2020011750.tif 000006
【図５】
2020011750.tif 000007
【図６】
2020011750.tif 000008
【図７】
2020011750.tif 000009
【図８】
2020011750.tif 000010
【図９】
2020011750.tif 000011
【図１０】
2020011750.tif 000012
【図１１】
2020011750.tif 000013